(57)【特許請求の範囲】
【請求項１】
リール脚取付部より竿元側にリアグリップ部を備え、前記リアグリップ部を、リア装飾用リング体とそのリア装飾用リング体より柔軟性の高い先側に位置するリア側柔軟性グリップ体及び元側に位置するリアグリップ体とで構成し、
前記リア装飾用リング体に、筒状の本体部の先端部分に先側装飾面部を立設するとともに、先側装飾面部の元側に元側装飾面部を立設し、前記筒状の本体部における、前記先側装飾面部と前記元側装飾面部との間の凹入状外周面に前記リア側柔軟性グリップ体を装着し、
前記リア装飾用リング体における元側装飾面部より更に元側に前記リアグリップ体を装着する元側端部を延出している釣り竿用のグリップ構造。
【請求項２】
リール脚取付部より竿先側にフロントグリップ部を備え、前記フロントグリップ部を、可動フードを連係動作させるナット体と、そのナット体に外嵌したフロント装飾用リング体とで構成し、
前記フロント装飾用リング体に、筒状の本体部の先端部分に先側装飾面部を立設するとともに、先側装飾面部の元側に元側装飾面部を立設し、前記筒状の本体部における、前記先側装飾面部と前記元側装飾面部との間の凹入状外周面にフロント側柔軟性グリップ体を装着し、
前記先側装飾面部を、先側に傾斜面を有する鍔部に形成するとともに、前記鍔部の元側端外周面を第３円周装飾面に形成し、元側装飾面部に前記先側装飾面部の傾斜面の軸芯長より長い軸芯長の第４円周装飾面を形成し、前記第４円周装飾面の外径を前記第３円周装飾面より大径に形成している請求項１記載の釣り竿用のグリップ構造。
【請求項３】
先側装飾面部を、先側に傾斜面、元側に前記傾斜面の軸芯長より短い軸芯長の第１円周装飾面を有する鍔部に形成している請求項１又は２記載の釣り竿用のグリップ構造。
【請求項４】
リアグリップ部において、元側装飾面部に、前記先側装飾面部における第１円周装飾面の外径より大径の第２円周装飾面を形成している請求項１〜３の内のいずれか一つに記載の釣り竿用のグリップ構造。
【請求項５】
フロントグリップ部において、先側装飾面部を先側に傾斜面を有する鍔部に形成するとともに前記鍔部の元側に前記傾斜面の軸芯長より軸芯長の短い第３円周装飾面を形成するとともに、前記元側装飾面部に前記第３円周装飾面の軸芯長より軸芯長の長い第４円周装飾面を形成し、前記第３円周装飾面の外径を前記第４円周装飾面より小径に形成している請求項２〜４の内のいずれか一つに記載の釣り竿用のグリップ構造。
【発明の詳細な説明】
【技術分野】
【０００１】
本発明は、装飾リングを有している釣り竿用のグリップ構造に関する。
【背景技術】
【０００２】
図８に示すように、チタンやアルミニュウム又は樹脂に金属メッキ等を施した細い幅のリング１０を柔軟性の高いグリップ体１１の間に挟み込んで、手元側竿体１の竿素材１Ｃに直接外嵌していた。
【０００３】
しかし、上記構成においては、リング１０自体が細い幅であり、かつ、その内径設定が難しく、使用が長期間に及ぶと、グリップ体１１との間で径方向に出入りがあったり、細い幅である為に竿素材１Ｃの表面との接触面積が十分でないところから倒れが生じたりして、装飾構造として十分に機能していなかった。
そこで、グリップＢに装飾を施す比較例として、図７に示すように、先側柔軟性グリップ体１４を挟んで、先側に先側装飾面部１３ａを有する第１装飾用リング体１３Ａと、元側に元側装飾面部１３ｅを有する第２装飾用リング体１３Ｂを竿素材１Ａに外嵌装着するものを考えた。
【０００４】
第１装飾用リング体１３Ａは、先側柔軟性グリップ体１４を外嵌装着する筒状取付体部１３ｂと、筒状取付体部１３ｂより立設される先側装飾面部１３ａを一体的に形成してある。
一方、第２装飾用リング体１３Ｂは、先側柔軟性グリップ体１４とリアグリップ体１５とを外嵌装着する筒状取付体部１３ｃと筒状取付体部１３ｃより円盤状の元側装飾面部１３ｅを立設して、元側装飾面部１３ｅの外周面を装飾面としている構成するものがある。
【発明の概要】
【発明が解決しようとする課題】
【０００５】
上記構成のものでは、手元側竿体１に第１、第２装飾用リング体１３Ａ、１３Ｂを装着するのに、筒状取付体部１３ｂ、及び、筒状取付体部１３ｃという軸芯長の長い筒状体を介して装着しているので、第１、第２装飾用リング体１３Ａ、１３Ｂ自体の径方向への出入りを少なくでき、倒れが生じることも少ない。
その上に先側柔軟性グリップ体１４の取付対象が竿体ではなく、第１装飾用リング体１３Ａ及び第２装飾用リング体１３Ｂの筒状体であるので、先側柔軟性グリップ体１４等を取り付ける為の取付面の管理を十分に行え、図８に示す従来構成のように、装飾用リング体１０の装飾外周面と先側柔軟性グリップ体１１等の外周面の間に段差ができる等の不揃い現象は起きにくい。
しかし、先側柔軟性グリップ体１４を円盤状の先側装飾面部１３ａと円盤状の元側装飾面部１３ｅとの間の空間に位置させる必要性から、第２装飾用リング体１３Ｂに先側柔軟性グリップ体１４を取付た状態から第１装飾用リング体１３Ａで先側柔軟性グリップ体１４を挟み込む取付形態を採らざるを得ない。
そうすると、第１装飾用リング体１３Ａと第２装飾用リング体１３Ｂとの二部品で構成する必要があり、その為に、部品点数が多く、組み付け作業工程も多工程になる欠点があった。
【０００６】
本発明の目的は、装飾用リング体の装飾外周面と先側柔軟性グリップ体等の外周面の間に段差ができる等の不揃いを回避しながら、かつ、部品点数の削減等を達成できる釣り竿用のグリップを提供する点にある。
【課題を解決するための手段】
【００１０】
〔構成〕
請求項１に記載の本願発明の特徴構成は、リール脚取付部より竿元側にリアグリップ部を備え、前記リアグリップ部を、リア装飾用リング体とそのリア装飾用リング体より柔軟性の高い先側に位置するリア側柔軟性グリップ体及び元側に位置するリアグリップ体とで構成し、
前記リア装飾用リング体に、筒状の本体部の先端部分に先側装飾面部を立設するとともに、先側装飾面部の元側に元側装飾面部を立設し、前記筒状の本体部における、前記先側装飾面部と前記元側装飾面部との間の凹入状外周面に前記リア側柔軟性グリップ体を装着し、
前記リア装飾用リング体における元側装飾面部より更に元側に前記リアグリップ体を装着する元側端部を延出している
点にあり、その作用効果は次の通りである。
【００１１】
〔作用〕
リア側柔軟性グリップ体の柔軟性に着目した構成を採用した。つまり、リア側柔軟性グリップ体を前記先側装飾面部と前記元側装飾面部との間の凹入状外周面に装着するのに、リア側柔軟性グリップ体を拡径し、その拡径した状態でリア装飾用リング体の先側装飾面部を乗り越えさせる装着方法を採用した。
このことによって、リア装飾用リング体を二つに分割する必要はなく、先側装飾面部と元側装飾面部とを単一のリア装飾用リング体に形成することができた。
しかも、リア装飾用リング体における元側装飾面部より更に元側に元側端部を延出しているので、この部分を利用してリアグリップ体を装着することができる。このことによって、リア装飾用リング体を十分に活用できる。
【００１２】
〔効果〕
上記のような装着方法の改善によって、部品点数の削減ができ、組み付け作業性の向上を図ることができた。
しかも、リア装飾用リング体を単にリア側柔軟性グリップ体を取り付ける為だけに使用するのではなく、リアグリップ体をも取り付けるものにも兼用した。
【００１３】
〔構成〕
請求項２に記載の本願発明の特徴構成は、リール脚取付部より竿先側にフロントグリップ部を備え、前記フロントグリップ部を、可動フードを連係動作させるナット体と、そのナット体に外嵌したフロント装飾用リング体とで構成し、
前記フロント装飾用リング体に、筒状の本体部の先端部分に先側装飾面部を立設するとともに、先側装飾面部の元側に元側装飾面部を立設し、前記筒状の本体部における、前記先側装飾面部と前記元側装飾面部との間の凹入状外周面にフロント側柔軟性グリップ体を装着し、
前記先側装飾面部を、先側に傾斜面を有する鍔部に形成するとともに、前記鍔部の元側端外周面を第３円周装飾面に形成し、元側装飾面部に前記先側装飾面部の傾斜面の軸芯長より長い軸芯長の第４円周装飾面を形成し、前記第４円周装飾面の外径を前記第３円周装飾面より大径に形成している
点にあり、その作用効果は次の通りである。
【００１４】
〔作用〕
フロント側柔軟性グリップ体の柔軟性に着目した構成を採用した。つまり、フロント側柔軟性グリップ体を前記先側装飾面部と前記元側装飾面部との間の凹入状外周面に装着するのに、フロント側柔軟性グリップ体を拡径し、その拡径した状態でフロント装飾用リング体の先側装飾面部を乗り越えさせる装着方法を採用した。
このことによって、フロント装飾用リング体を二つに分割する必要はなく、先側装飾面部と元側装飾面部とを単一のフロント装飾用リング体に形成することができた。
しかも、フロント装飾用リング体を、可動フードを連係動作させるナット体に外嵌しているので、フロント装飾用リング体を、ナット体を保護しかつ装飾し、更に、ナット体を回転操作する際の操作具に兼用できる。
【００１５】
〔効果〕
上記のような装着方法の改善によって、部品点数の削減ができ、組み付け作業性の向上を図ることができた。
しかも、フロント装飾用リング体を単にフロント側柔軟性グリップ体を取り付ける為だけに使用するのではなく、可動フードの移動を司る操作具へ兼用できた。
【００１６】
〔構成〕
請求項３に記載の本願発明の特徴構成は、先側装飾面部を、先側に傾斜面、元側に前記傾斜面の軸芯長より短い軸芯長の第１円周装飾面を有する鍔部に形成している、
点にあり、その作用効果は次の通りである。
【００１７】
〔作用効果〕
傾斜面と第１円周装飾面との形成によって、釣り人の眼に変化を与え装飾性の向上を図ることができるとともに、前記したように、柔軟性グリップ体を拡径させて第１円周装飾面を乗り越えさせる場合に、その傾斜面を利用して容易に乗り越えさせることができる。
【００１８】
〔構成〕
請求項４に係る本願発明の特徴構成は、リアグリップ部において、元側装飾面部に、前記先側装飾面部における第１円周装飾面の外径より大径の第２円周装飾面を形成している
点にあり、その作用効果は次の通りである。
【００１９】
〔作用効果〕
第１円周装飾面の外径と第２円周装飾面との外径に差を設けることによって、リア側柔軟性グリップ体の乗り越えを可能にする第１円周装飾面の外径を小さくし、かつ、第２円周装飾面の外径を大きくして、釣り人の眼に付きやすいように、装飾性を向上させている。
また、第１円周装飾面の外径を小さくすることによって、先側装飾面部の傾斜面の形状と相俟って、リアグリップの構造を先側程先細くなる形状に形成でき、装飾性の向上を図ることができる。
【００２０】
〔構成〕
請求項５に係る本願発明の特徴構成は、フロントグリップ部において、先側装飾面部を先側に傾斜面を有する鍔部に形成するとともに前記鍔部の元側に前記傾斜面の軸芯長より軸芯長の短い第３円周装飾面を形成するとともに、前記元側装飾面部に前記第３円周装飾面の軸芯長より軸芯長の長い第４円周装飾面を形成し、前記第３円周装飾面の外径を前記第４円周装飾面より小径に形成している
点にあり、その作用効果は次の通りである。
【００２１】
〔作用効果〕
第３円周装飾面の外径と第４円周装飾面との外径に差を設けることによって、フロント側柔軟性グリップ体の乗り越えを可能にする第３円周装飾面の外径を小さくし、かつ、第４円周装飾面の外径を大きくして、釣り人の眼に付きやすいように、装飾性を向上させている。
また、第３円周装飾面の外径を小さくすることによって、先側装飾面部の傾斜面の形状と相俟って、フロントグリップ部の構造を先側程先細くなる形状に形成でき、装飾性の向上を図ることができる。
更に、第４円周装飾面を第３円周装飾面より軸芯長を長くしているので、装飾効果を高めると同時に、可動フードを動かす際に、手指で第４円周装飾面を摘み易く、操作が容易である。
【図面の簡単な説明】
【００２２】
【図１】図１は、主として手元側竿体を示す側面図である。
【図２】図２（ａ）は、リア側柔軟性グリップ体、リア装飾用リング体、リアグリップ体の手元側竿体に取り付ける前の状態を示す分解縦断側面図、（ｂ）は先側装飾面部の拡大縦断側面である。
【図３】図３は、リア側柔軟性グリップ体、リア装飾用リング体、リアグリップ体の手元側竿体に取り付ける前の分解斜視図である。
【図４】図４は、リア側柔軟性グリップ体、リア装飾用リング体、リアグリップ体の手元側竿体に取り付けた状態を示す縦断側面図である。
【図５】図５は、フロントグリップ部の構成を示し、フロント側柔軟性グリップ体、フロント装飾用リング体、ナット体をリール取付部の筒状本体に取り付けた状態を示す縦断側面図である。
【図６】図６は、フロントグリップ部の構成を示し、フロント側柔軟性グリップ体、フロント装飾用リング体、ナット体をリール取付部の筒状本体に取り付ける前の状態を示す縦断側面図である。
【図７】図７は、比較例を示し、先側柔軟性グリップ体、装飾用リング体、リアグリップ体の手元側竿体に取り付けた状態を示す縦断側面図である。
【図８】図８は、従来例を示し、先側柔軟性グリップ体、装飾用リング体、リアグリップ体の手元側竿体に取り付けた状態を示す縦断側面図である。
【発明を実施するための形態】
【００２３】
船竿である釣り竿Ａについて説明する。
図１に示すように、釣り竿Ａは、グリップ部Ｂ及びリール取付部３を有する手元側竿体１と、手元側竿体１に並継式に連結される穂先側竿体２とを備えて、構成されている。
手元側竿体１は、後記するようにプリプレグ製の筒状体であり、竿先端から竿元端までの単一の竿素材１Ａで構成される。
【００２４】
グリップ部Ｂは、リール取付部３より竿先側に位置するフロントグリップ部Ｂ１と、リール取付部３より竿元側に配置された中間グリップ部Ｂ２と、竿元端部に配置されたリアグリップ部Ｂ３とでなる。
これらのグリップ部Ｂは、ＥＶＡ、ＮＢＲ等の軟質材で構成され、手元側竿体１を構成する単一竿素材１Ａに外嵌装着されている。各グリップ部Ｂにおける軟質材は、同一材でもよく、または、設置位置によって異なる材質のものを使用してもよい。また、表面に対しても滑り難い梨地模様等を施してもよい。
【００２５】
図１に示すように、リール取付部３は、竿素材１Ａに外嵌固定される筒状本体３Ａと、筒状本体３Ａに一体形成されているリール脚取付部３Ｂと、リール脚取付部３Ｂと竿軸線を挟んで反対側に延出されたトリガー３Ｃとを備えている。
リール脚取付部３Ｂは、竿元側に位置する固定フード３ａと、固定フード３ａに対向する可動フード３ｂと可動フード３ｂを竿軸線方向に沿ってスライド往復移動させるナット体１２とで構成されている。図５、６にナット体１２が示されている。
【００２６】
次に、リアグリップ部Ｂ３について説明する。図１〜図３に示すように、リアグリップ部Ｂ３は、手元側竿体１に外嵌するリア装飾用リング体４と、リア装飾用リング体４より柔軟性が高くその装飾用リング体に装着されるリア側柔軟性グリップ体５と、リア装飾用リング体４の後端部に連結固定されるリアグリップ体６とを備えて構成される。
【００２７】
リア装飾用リング体４は、図１〜図４に示すように、筒状の本体部４Ａの先端部分に先側装飾面部４Ｂを立設するとともに、先側装飾面部４Ｂの元側に元側装飾面部４Ｃを立設して構成してある。筒状の本体部４Ａにおける、先側装飾面部４Ｂと元側装飾面部４Ｃとの間の凹入状空間の外周面４Ｄにリア側柔軟性グリップ体５を装着する。筒状の本体部４Ａにおける、元側装飾面部４Ｃより更に元側に装着用の筒状取付部４Ｅを延出し、その筒状取付部４Ｅにリアグリップ体６を装着している。
【００２８】
先側装飾面部４Ｂを、図２（ａ）（ｂ）に示すように、先側に傾斜面４ａを有する鍔部に形成し、鍔部の外周面を軸芯長の短い第１円周装飾面４ｂに形成してある。一方、元側装飾面部４Ｃは軸芯方向での厚みが小さな円盤状を呈しており、外周面を第１円周装飾面４ｂより大径の第２円周装飾面４ｃに形成している。
【００２９】
リア装飾用リング体４は、アルミニュウム、チタン等の軽量金属か、又は、ナイロン、ＰＥ、ＰＥＴ等のエンジニアリング樹脂等で形成される。これらについては、いずれも、装飾性を向上させる為に、光沢のある金属メッキ等が施されてもよい。
【００３０】
リア側柔軟性グリップ体５は、図１〜図３に示すように、リング状を呈しており、元側では軸線に直交する面５ａに形成され、先側には、先側程小径となる丸みを帯びた傾斜面５ｂとなっている。内側には、軸線方向に沿った貫通孔５Ａが形成され、この貫通孔５Ａの内周面径Ｄ２が、凹入状の外周面４Ｄの外径Ｄ３と同一径か僅かに小径に形成してある。
【００３１】
このリア側柔軟性グリップ体５をリア装飾用リング体４の凹入状外周面４Ｄに装着するには、貫通孔５Ａをその柔軟性を利用して押し広げ、リア装飾用リング体４の先側装飾面部４Ｂの傾斜面４ａに沿って押込み、第１円周装飾面４ｂを乗り越えさせて、凹入状外周面４Ｄに装着する。
【００３２】
リアグリップ体６の構造について説明する。
リアグリップ体６は、図１〜図３に示すように、軸芯長の長い筒状体であり、軸芯長の中間位置に向けて僅かに凹入する形状に形成されている。内側に手元側竿体１の外周面に外嵌する内周面部６Ａを形成してあり、その内周面部６Ａの先端側にその内周面部６Ａより大径に形成された装着座面６Ｂを形成してある。
【００３３】
装着座面６Ｂの内径Ｄは、リア装飾用リング体４の筒状取付部４Ｅの外周面の外径Ｄ１より僅かに小さく設定されている。これによって、リアグリップ体６をリア装飾用リング体４に装着する際に、リアグリップ体６の柔軟性を利用して僅かに装着座面６Ｂを拡径する状態にして装着する。
これによって、リアグリップ体６を装着した際に、装着座面６Ｂが筒状取付部４Ｅに強く圧着して取付状態が安定する。
【００３４】
以上のような構成になるリアグリップ体６を手元側竿体１の竿元側端部１Ｃに取り付けるには、次のように行われる。
（ａ）リア側柔軟性グリップ体５をリア装飾用リング体４の第１円周装飾面４ｂを乗り越えさせて、凹入状の外周面４Ｄ部分に装着する。
（ｂ）次に、リア側柔軟性グリップ体５を取り付けたリア装飾用リング体４を手元側竿体１の竿元側端部１Ｃに外嵌装着する。リアグリップ体６を手元側竿体１の竿元側端部１Ｃに装着できるだけの長さを残す位置まで、リア装飾用リング体４を竿先側に位置させて固定する。
（ｃ）リアグリップ体６を手元側竿体１の竿元側端部１Ｃに外嵌装着し、リアグリップ体６をリア装飾用リング体４の取付位置まで差し込み、その装着座面６Ｂを筒状取付部４Ｅに外嵌固定して、取付状態を確定する。
（ｄ）以上で取付けを終えるが、各接着部位には接着剤を使用して、接着状態を強化する方がよい。
（ｅ）また、リアグリップ体６を先行してリア装飾用リング体４に取り付けて、リア側柔軟性グリップ体５とともに、手元側竿体１の竿元側端部１Ｃに装着する手順をとってもよい。
【００３５】
次に、フロントグリップ部Ｂ１について説明する。図１、図５及び図６に示すように、フロントグリップ部Ｂ１は、リール取付部３を構成する筒状本体３Ａに螺合するナット体１２と、ナット体１２に外嵌するフロント装飾用リング体１０と、フロント装飾用リング体１０より柔軟性が高くそのフロント装飾用リング体に装着されるフロント側柔軟性グリップ体１１と、ナット体１２の後端部に連結される可動フード３ｂとを備えて構成される。
【００３６】
図６に示すように、ナット体１２は、筒状の本体部１２Ａの後端部に可動フード３ｂとの元側連結部１２Ｂを形成するとともに、筒状の本体部１２Ａの内周面に、リール取付部３の筒状本体３Ａに形成している雄ネジ３ｃに螺合する雌ネジ部１２Ｃを形成してある。
【００３７】
フロント装飾用リング体１０は、図１、５、６に示すように、筒状の本体部１０Ａの先端部分に先側装飾面部１０Ｂを立設するとともに、先側装飾面部１０Ｂの元側に元側装飾面部１０Ｃを立設して構成してある。筒状の本体部１０Ａにおける、先側装飾面部１０Ｂと元側装飾面部１０Ｃとの間の凹入状空間の外周面１０Ｄにフロント側柔軟性グリップ体１１を装着する。
【００３８】
先側装飾面部１０Ｂを、図５、６に示すように、先側に傾斜面１０ａを有する鍔部に形成し、鍔部の外周面を軸芯長の短い第３円周装飾面１０ｂに形成してある。一方、元側装飾面部１０Ｃは軸芯長の長い円筒状を呈しており、外周面を第３円周装飾面１０ｂより大径の第４円周装飾面１０ｃに形成している。
【００３９】
フロント装飾用リング体１０は、アルミニュウム、チタン等の軽量金属か、又は、ナイロン、ＰＥ、ＰＥＴ等のエンジニアリング樹脂等で形成される。これらについては、いずれも、装飾性を向上させる為に、光沢のある金属メッキ等が施されてもよい。
【００４０】
ナット体１２をフロント装飾用リング体１０に装着するには、両者の嵌合公差を小さく設定して、両者１２、１０を緩みなく連結する構成を採り、その際に両者１２、１０の嵌合面に機械的な連係構造か又は接着剤を塗布してもよい。図示してはいないが、ナット体１２で駆動される可動フード３ｂは、竿軸線方向にスライド移動できるように、手元側竿体１の外周面に形成した係合溝との係合連係構造を設けてある。
【００４１】
フロント側柔軟性グリップ体１１は、図１、図６，７に示すように、リング状を呈しており、元側では軸線に直交する面１１ａに形成され、先側には、先側程小径となる丸みを帯びた傾斜面１１ｂとなっている。内側には、軸線方向に沿った貫通孔１１Ａが形成され、この貫通孔１１Ａの内周面径が、凹入状の外周面１０Ｄの外径と同一径か僅かに小径に形成してある。
【００４２】
このフロント側柔軟性グリップ体１１をフロント装飾用リング体１０の凹入状外周面１０Ｄに装着するには、貫通孔１１Ａをその柔軟性を利用して押し広げ、装飾用リング体１０の先側装飾面部１０Ｂの傾斜面１０ａに沿って押込み、第１円周装飾面１０ｂを乗り越えさせて、凹入状外周面１０Ｄに装着する。
【００４３】
〔別実施形態〕
（１）リア装飾用リング体４、フロント装飾用リング体１０の構造としては、先側装飾面部４Ｂ、１０Ｂ及び元側装飾面部４Ｃ、１０Ｃを有していれば、形状等の変更は問わない。
（２）リア装飾用リング体４、及び、フロント装飾用リング体１０をリアグリップ部Ｂ３、フロントグリップ部Ｂ１に適用したが、中間グリップ部Ｂ２に適用してもよい。
【産業上の利用可能性】
【００４４】
本発明は、船竿等に使用され、手元のグリップ部分の装飾性を向上するものである。
【符号の説明】
【００４５】
Ａ        釣り竿
Ｂ        グリップ部
Ｂ１      フロントグリップ部
Ｂ２      中間グリップ部
Ｂ３      リアグリップ部
Ｄ        装着座面の内径
Ｄ１      筒状取付部の外周面径
Ｄ２      貫通孔の内周面径
Ｄ３      凹入状の外周面の外径
１        手元側竿体
１Ａ      竿素材
２        穂先側竿体
３        リール取付部
３Ａ      筒状本体
３Ｂ      リール脚取付部
３Ｃ      トリガー
３ａ      固定フード
３ｂ      可動フード
４        リア装飾用リング体
４Ａ      筒状の本体部
４Ｂ      先側装飾面部
４Ｃ      元側装飾面部
４Ｄ      凹入状の外周面
４Ｅ      筒状取付部
４ａ      傾斜面部
４ｂ      第１円周装飾面
４ｃ      第２円周装飾面
５        リア側柔軟性グリップ体
５Ａ      貫通孔
５ａ      元側の直交する面
５ｂ      傾斜面
６        リアグリップ体
６Ａ      内周面部
６Ｂ      装着座面
１０      フロント装飾用リング体
１０Ａ    筒状の本体部
１０Ｂ    先側装飾面部
１０Ｃ    元側装飾面部
１０Ｄ    凹入状の外周面
１０Ｅ    筒状取付部
１０ａ    傾斜面部
１０ｂ    第３円周装飾面
１０ｃ    第４円周装飾面
１１      フロント側柔軟性グリップ体
１１Ａ    貫通孔
１１ａ    元側の直交する面
１１ｂ    傾斜面
１２      ナット体
【図１】
0006452387.tif 000002
【図２】
0006452387.tif 000003
【図３】
0006452387.tif 000004
【図４】
0006452387.tif 000005
【図５】
0006452387.tif 000006
【図６】
0006452387.tif 000007
【図７】
0006452387.tif 000008
【図８】
0006452387.tif 000009